(57)【要約】      （修正有）【課題】寝床内に足元より温風を送風して寝床内を快適環境にする商品は発明されています。その商品は長期病床生活の人にケイレンを起すことがあり、体圧分散する必要もありました。【解決手段】課題を解決する為、体の側面より送風すると共に温風を背面まで進めて足元に降す様にし、人体全面を包む様にして足元より吸引することにより最高の快眠環境を作ることが出来ました。これにより課題を解決しました。【選択図】図１２
2015226743.tif 000002
【特許請求の範囲】
【請求項１】
寝床内にサイドと背面  腹面より温風を体を包む様に送風し
次の（イ）〜（ホ）の構成を有することを特微とする寝具。
（イ）吸引送風口室（１）にドーム送風ふとん吸引口（８）ドーム送風ふとん送風口（９）の穴をあける。
（ロ）表生地（５）と裏生地（６）を口止部（１０）を残して縫合しその中に足部サイド送風口（１４）を残して足部エアー溜り枠（１２）を縫合する。
（ハ）本体送風口（２０）を有する筒の両端に本体サイド送風口（１７）を本体送風口（２０）の反対面にあける。
（ニ）寝床内空気（５５）を吸引する吸引口（２１）を設ける。
（ホ）送風ネット本体（２４）の足端に送風ネット本体（２４）より長さが短く幅が狭い分離布（２３）を取付け足端に送風ネット口（２５）を取付ける。
（ヘ）循環暖房機（３０）の循環暖房機吸引口（３２）と本体吸引口（２１）とセット、循環暖房機掛送風口（３３）と本体送風口（２０）とセット、循環暖房機敷送風口（３４）と送風ネット口（２５）と接続して温風を循環する。
【請求項２】
次の構成を有することを特微とする請求項１に記載の寝具。
（イ）本体送風口（２０）を有する筒の両端に本体サイド送風口（１７）を本体送風口（２０）の反対面にあけその上にドームバー（４２）を取付けてドームバー付送風口本体（４３）を作り吸引送風口室（１）にセットする。
（ロ）吸引ネット本体（３８）の足部のはしに吸引ネット口（３９）を取付け送風ネット本体（２４）の上に乗せる。
（ハ）循環暖房機掛送風口（３３）とドームバー付送風口本体（４３）の本体送風口（２０）をセット  循環暖房機吸引口（３２）と吸引ネット口（３９）をセット  送風ネット口（２５）と循環暖房機敷送風口（３４）と接続し、循環暖房機（３０）より温風を循環する。
【請求項３】
次の構成を有することを特微とする請求項１に記載の寝具。
（イ）送風ネット本体（２４）の下に吸引ネット本体（３８）を敷く。
（ロ）循環暖房機掛送風口（３３）とドームバー付送風口本体（４３）の本体送風口（２０）とセット、循環暖房機敷送風口（３４）と送風ネット口（２５）とセット、循環暖房機吸引口（３２）と吸引ネット口（３９）とセットして循環暖房機（３０）より温風を循環する。
【発明の詳細な説明】
【発明の詳細な説明】
【技術の分野】
本発明は健康福祉と省エネに関する分野
【背景技術】
【０００１】  従来の技術は掛ふとんや、掛カバーに送風通路を設け足元より温風を送風すると共に敷ふとんや敷ネットからも足元から温風を送風する商品でありました。
その為に使用中は常に温風が足先にあたりケイレンが起る例もおこりました。
足元の掛ふとんが浮いて外気が寝床内に入り冬、足元が寒くて熟睡できない。
【先行技術文献】
【０００２】
【特許文献１】特許３０６１３６０号
【特許文献２】特許３１８６６３２
【特許文献３】特許３０５３５０７号
【特許文献４】特許２６３０７３３
【特許文献５】特許２６１６８９３号
【特許文献６】特許３６３３９７７
【特許文献７】特許第４９６１５２２号
【特許文献８】特許第５１６８７０１号
【発明が解決しようとする課題】
課題１
従来の発明された商品は、掛ふとんや敷ふとんの足元より温風が送風され、使用中は足先が常時温風を受け、人によってはケイレンを起した例もあり快眠出来ません。
人体の全面に均一に温風が廻ることが快眠の要件であります。
夏では室温２８℃以上になると、従来の商品は送風路がせまく、肌掛ふとんの重みで風量が、落ちる為空調の使用が必要でありました。冬は室内が１５℃以下になるとふとんを重ねて１、５ｋｇの羽毛ふとを使用する為、重くて寝返りが老人では苦しく、寒さで掛ふとんをかぶると足元のふとんが浮いて外気が入り寒さの原因にもなりました。
課題２
平常な生活の人は８時間余りで起床するので従来の商品でよいが、長い病床生活の人は背面の湿度が８０％〜９９％になり床ずれの原因にもなる為その改良が必要であり、背面の対策が今後の社会に絶対必要である。
2015226743.tif 000003
流れることが求められています
課題３
肌着無しで入床する人は温風の流れが弱い方が好まれる。
温風がソフトで寝床内にくまなく流れることが求められる。
従来の商品では対応出来ない。
【課題を解決する手段】
【０００３】  課題１を解決
課題を解決する手段は図２の本体送風口（２０）から温風が送風され本体サイド送風口（１７）より、サイド温風の流れ（１５）となりサイド温風通路（１４）胸部エアー溜り（３）足部エアー溜り（４）より寝床内空気（５５）になり本体吸引口（２１）より循環循環房機（３０）に戻る。図１０、図１１で示す様に送風ネッ本体（２４）の足端部に送風ネット本体（２４）より幅の狭く長さの短い分離布（２３）を敷き、上に送風ネット表（２２）を縫合し足端に送風ネット口（２５）を取付け図（１２）の様に循環暖房機敷送風口（３４）とセットし温風を送風にする。送風された敷送風ネットの温風（２９）は図１０  図１１の様に足に直接温風はあたらず体を包む様に流れ循環暖房機（３０）に戻り、快眠環境を作る。
夏の風量不足を解決する為に、送風通路を広くし温風の流れやすくする為、表生地（５）にドームバー袋（７）を２ケ所に作りドームバー（４２）を入れて表生地（５）を浮かすと裏生地（６）は下り、サイド温風通路（２）は広くなり胸部エアー溜り（３）、足部エアー溜り（４）も広くなって、弱風圧で温風を流すことが出来る。室温３０℃の時は、図（２５）の様に応用で外気を吸引する。
足元から寒気が入らない為図（４）の吸引送風口本体（１６）を図１の吸引送風口室（１）に口止部（１０）を開いて図２、図１２の様にセットする。循環暖房機吸引口（３２）と本体吸引口（２１）をセット、循環暖房機掛送風口（３３）に本体送風口（２０）をセットし温風を送風する。
ドーム送風掛ふとん（１１）の足端部は送風ネット本体（２４）に定着し寒い日も熟睡できる。
【０００４】  課題２を解決
課題２を解決する手段は、ドーム送風掛ふとん（１１）の吸引送風口室（１）にドームバー付送風口本体（４３）をセットする。吸引ネット本体（３８）に吸引ネット表（３７）を縫合しその足端部に吸引ネット口（３９）を取付ける。この吸引ネット本体（３８）を送風ネット本体（２４）の上に敷くドーム送風掛ふとん（１１）にドームバー付送風口本体（４３）をセットしその本体送風口（２０）を循環暖房機掛送風口３３にセットし吸引ネット本体（３８）の吸引ネット口（３９）は循環暖房機吸引口（３２）とセットし送風ネット本体（２４）の送風ネット口（２５）は循環暖房機敷送風口（３４）とセットして温風を送風すると図１５で示す様に吸引される温風は全て人体を包む様に流れて背面を通って吸引ネット口（３９）から循環暖房機吸引口（３２）より吸引される。汗は敷ふとんに残らず体圧分散と合せて床ずれの予防にもなりこの様に課題２を解決する。
【０００５】  課題３を解決
課題３を解決する手段は、図１６  図１７で示す様に吸引ネット本体（３８）の上に送風ネット本体（２４）を敷き、送風ネット口（２５）を循環暖房機掛（３３）と接続し、吸引ネット口（３９）を循環暖房機吸引口（３２）にセットして循環暖房機（３０）より温風を送風すると、温風は寝床内を多く流れず、送風ネット本体（２４）より循環暖房機吸引口（３２）に吸引され課題３は解決する。
【発明の効果】
【０００６】発明の効果の第１は循環暖房機（３０）より掛・敷に送風される温風が足先に直接あたらずサイドより体を包む様に裏生地（６）を通りソフトに体にふれる。胸や背中に流れた温風は体全面にソフトに流れて体温を下げ、又汗による湿度を吸収して快眠出来るのです。
ドームバー（４２）や吸引送風口本体（１６）又はドームバー付送風口本体（４３）により送風通路は広くなり、温風の流れを全面にソフトに送風し冬の重いふとんを掛けても寝返りが軽く出来る上、夏は生地が浮いて体に軽くふれる為、補育器の中で寝る感じで快眠出来るのです。
吸引送風本体（１６）の重みで固定され冬でも寝床内空気（５５）は安定して循環し、送風温度は指示通り送風される。体温３６℃の熱を受けて指示温度より１℃〜２℃高く戻り温度の時もある。
使用中の寝具の中に敷いて使用する為今までの寝具は全て使用可能です。
夏季室温３０℃の時はドーム送風掛ふとん（１１）のみで快眠出来るのはドームバー（４２）の効果です。温風循環快眠トームで睡眠中は室温１５℃〜３０℃の間は寝室の空調不要です。
日本国内に普及すれば、原発不要、石油、ガス使用減少はもとより、快眠による予防医療の効果絶大である。
【図面の簡単な説明】
【０００７】
【図１】ドーム送風掛ふとんの平面図
【図２】ドーム送風掛ふとんの温風循環の平面図
【図３】吸引送風口本体の平面図
【図４】吸引送風口本体の側面図
【図５】ベット用循環暖房機の側面図
【図６】循環暖房機の側面図
【図７】ドームバー側面図
【図８】ドームバー付送風口本体の側面図
【図９】羽毛ふとんの平面図
【図１０】送風ネット本体の温風流れの平面図
【図１１】送風ネット本体の温風流れの側面図
【図１２】ドーム送風掛ふとん（１１）に吸引送風口本体（１６）をセットし送風ネット本体（２４）の両者に循環暖房機（３０）をセットした、温風の流れの断面図
【図１３】吸引ネット本体（３８）の温風流れの平面図
【図１４】吸引ネット本体（３８）の温風流れの側面図
【図１５】ドーム送風掛ふとん（１１）にドームバー付送風口本体（４３）をセットし送風ネット本体（２４）の上に吸引ネット本体（３８）を乗せたセットに循環暖房機（３０）をセットし送風した断面図
【図１６】送風ネット本体（２４）の下に吸引ネット本体（３８）を敷いた送風の流れを示す側面図
【図１７】ドーム送風掛ふとん（１１）にドームバー付送風口本体（４３）をセットし送風ネット本体（２４）の下に吸引ネット本体（３８）を敷き、両者に循環暖房機（３０）とセットした温風の流れを示す側面図
【図１８】台形カバーの平面図
【図１９】１９９９年８月７日  眼科入院の寝床内データー
【図２０】２００３年９月３０日  国立病院の寝床内データー
【図２１】２００２年８月１２日  個人宅での寝床内データー
【図２２】２００７年８月５日  大阪市  高級ホテル寝床内データー
【図２３】２００７年８月２６日  京都市  最高級ホテル寝床内データー
【図２４】２０１３年５月２８日  本発明  図１５  室温２５℃  寝床内データー
【図２５】２０１３年７月５日  本発明  図１５  室温３０℃  外気吸引寝床内データー
【図２６】２０１４年３月１日  本発明  図１２  室温１９℃〜１３℃  寝床内データー
【発明を実施する為の形態】
【実施例】
【０００８】課題１の実施例は図１２で示す寝床内空気（５５）を、図４の足部吸引口（１８）  足部吸引口（小）（１９）を経て本体吸引口（２１）より循環暖房機吸引口（３２）に吸引されて循環暖房機（３０）に戻る。戻った温風は消臭殺菌フィルター（４６）を通りシロッコファン（４７）に吸引され調節ヒータ（４８）で指示された温度に調節されて、循環暖房機敷送風口（３４）より送風ネット口（２５）を通って送風ネット本体（２４）に流れる。その流れる温風は足先にふれずに図１０の送風ネットサイド通路（２６）より体を包む様に寝床内に戻る。又分離布の下を進んた温風は背面温風溜り（２８）より体の背面を通り寝床内に戻る。循環暖房機掛送風口（３３）に進んだ温風は、図４の本体送風口（２０）より本体サイド送風口（１７）に進み図２に示すサイド温風通路（２）に流れる。この流れたサイド温風の流れ（１５）の一部は足部サイド送風口（１４）より寝床内に戻りさらに進んだ温風は胸部エアー溜り（３）より足部エアー溜り（４）に進んで裏生地（６）を通過して寝床内空気（５５）に戻る。
送風ネット口（２５）から進んだ温風と、本体送風口（２０）から送風された両温風は足先に直接ふれず体温３６℃でソフトにコントロールされた快温で、足部に流れるのです。【０００９】課題２の実施例は図（１５）で示す様に図１の吸引送風口室（１）にドームバー付送風口本体（４３）をセットし、送風ネット本体（２４）の上に図１４の吸引ネット本体（３８）を敷き、循環暖房機掛送風口（３３）をドームバー付送風口本体（４３）の本体送風口（２０）とセットする。
循環暖房機吸引口（３２）を吸引ネット口（３９）に接続し、循環暖房機敷送風口（３４）を送風ネット口（２５）にセットする。循環暖房機（３０）にスイッチＯＮすると、寝床内空気（５５）は、体全面を包む様に吸引ネット本体（３８）に吸引され吸引ネット口（３９）より循環暖房機吸引口（３２）より吸引され消臭殺菌フィルタ（４６）を通りシロッコファン（４７）をへて調節ヒータ（４８）で指示温度に調節されて、循環暖房機送風口（３３）より本体送風口（２０）図８の本体サイド送風口（１７）より図２のサイド温風通路（２）に温風は流れる。サイド温風の流れ（１５）は一部は足部サイド送風口（１４）より足部エアー溜り（４）に流れる。残りの温風は胸部エアー溜り（３）足部エアー溜り（４）裏生地（６）を通過し寝床内空気（５５）に戻る。
又循環暖房機敷送風口（３４）よ送風ネット口（２５）に流れた温風は送風ネットサイド通路（２６）を通り吸引ネット本体（３８）に流れる温風や、背面温風溜り（２８）に進み、寝床内空気（５５）に戻る温風や、直接吸引ネット本体（３８）の流れに吸引される温風もある。
寝床内空気（５５）は体を包む様に流れその温風は体温を快眠状態にコントロールし主流は人体の背面に流れ、長期病床の患者に床ずれ防止の効果が有り、体圧分散を含め快眠を提供出来るのです。課題２は上記の様に解決される。【００１０】課題３の実施例は図１７で示す様に図１の吸引送風口室（１）にドームバー付送風口本体（４３）をセットしその本体送風口（２０）を循環暖房機掛送風口（３３）とセットする。
図１６の様に送風ネット本体（２４）の下に吸引ネット本体（３８）を敷く。
ドーム送風掛ふとん（１１）の上に図（１８）台形に切目入のカバを使用  厚みをつけて夏使用にする。ドームバー付送風口本体（４３）のかわりに吸引送風口本体（１６）を使用することも出来る。
性能は同じ、本体送風口（２０）と循環暖房機掛送風口（３３）を接続し、又敷では送風ネット口（２５）と循環暖房機敷送風口（３４）とセット、吸引ネット口（３９）と循環暖房機吸引口（３２）を接続し循環暖房機より送風、本体送風口（２０）より流れる温風は課題１や課題２の実施例と同じ様に体全面を包む様に温風は流る。送風ネット口（２５）より流れる温風の全てが吸引ネット本体（３８）に吸引され寝床内空気（５５）の流れる風量が少なくてもドームバー（４２）が掛を浮かして快適な寝床空間を作ります。室温３０℃の環境でも空調は不要で図１９のデーターが示す通りです。図１７のドームバー付送風口本体（４３）を使用せずに吸引送風口本体（１６）をセットすれば、課題１〜課題３の全てに対応出来るセットに組かへられる。
【産業上の利用可能性】
【００１１】  産業上の利用可能性は４分野が考へられます。
病院の分野が第一に考へられます。図１９は奈良県の大病院に入院、１５日間体験した時の寝床内データーです。手術後２日目のデータです。背中は９９％、床内３５℃  不眠  食事用テーブルで毛布を浮かして体に毛布がふれない様にして入院生活をしました。
この体験が本発明の原点です。
図２０は豊中市の国立病院に入院  １０日間で退院しましたが背の面８９％で不眠、今までに７〜８病院でデーターを得ましたが病院寝具は最低。病院の術後の睡眠寝具はクリーニング屋まかせで患者の睡眠による体力回復に全く感心が無いのが現状です。
この分野こそ最も本発明品が必要な分野で利用可能な業界です。
図２１は一般家庭の使用している寝具のデーターです。今後在宅医療が求められている時代です。一般家庭で健康な時から本発明品を使用して病気の予防するのが第一です。
一般家庭に普及すれば油やガスの輸入を削減し国家財政に役立つこと間違いないと信じます。この為図１２の商品を開発しました。一般家庭の普及こそ国家政策の急務です。
図１５の商品は長期病床生活の患者の為に開発しました。コスト高がネックです。
図２２は大阪市の高級ホテルの寝床内データーで、入室直後より入床して寝床内データーをとりました。２２時以後は研究中の商品のテストに使用。調査したホテル全て寝具不良図２３は京都市の最高級ホテルのデーターです。前半はホテルの寝具の寝床内データーで３時間で８９％に背面が上昇  寝床内は掛７６％で不眠  羽毛ふとん１ｋｇを使用し、空調を２４℃にして睡眠するのです。２７日  朝５、００分から、旧研究中のエアースリープで２７℃を送風した寝床内データです。室２９℃で快眠です。
観光立国の為には快眠の提供こそ最高の「おもてなし」ではないでしょうか。
2015226743.tif 000004
図１２は健康な一般家庭に  又ビジネスホテルに最適商品です。
図１５は病院、介ご施設  在宅介ご  高令者に最適商品です。
図１７は図１５の応用で好みによって変化出来ます。風量が少なくソフトな商品です。
図２４は室温２５℃湿４５％の環境で図１５の病院、介ごに使用最適の商品を使用したデーターで寝床内の温度、湿度は入床より起床まで最良の環境で快眠出来たデーター
図２５は７月  室温２９℃〜３０℃  湿度５９°〜５２％の環境で図１５の商品を使用  循環暖房機吸引口（３２）をはずして室内空気を吸引したデータで快眠、（ドーム送風掛ふとん（１１）使用）図２６は室温１９℃→１３℃の環境で図１２の商品に１、２ｋｇの羽毛ふとんを使用し快眠データー
【符号の説明】  １  吸引送風口室            ２  サイド温風通路        ３  胸部エアー溜り
４  足部エアー溜り          ５  表生地                ６  裏生地
７  ドームバー袋        ８  ドーム送風ふとん吸引口  ９  ドーム送風ふとん送風口
１０  口止部                １１  ドーム送風掛ふとん  １２  足部エアー溜り枠
１３  温風域の枠            １４  足部サイド送風口    １５  サイド温風の流れ
１６  吸引送風口本体        １７  本体サイド送風口    １８  足部吸引口
１９  足部吸引口（小）      ２０  本体送風口          ２１  本体吸引口
２２  送風ネット表          ２３  分離布              ２４  送風ネット本体
２５  送風ネット口          ２６  送風ネットサイド通路  ２７  送風ネット裏面通路
２８  背面温風溜り          ２９  敷送風ネットの温風  ３０  循環暖房機
３１  ベット循環暖房機      ３２  循環暖房機  吸引口  ３３  循環暖房機  掛送風口
３４  循環暖房機  敷送風口  ３５  フィルターカバー    ３６  コントローラー
３７  吸引ネット表          ３８  吸引ネット本体      ３９  吸引ネット口
４０  敷吸引ネットの温風    ４１  掛ふとん            ４２  ドームバー
４３  ドームバー付送風口本体  ４４  シーツ            ４５  ドームバー止布
４６  消臭殺菌フィルター    ４７  シロッコファン      ４８  調節ヒーター
４９  トメ縫い              ５０  敷ふとん            ５１  マクラ
５２  口止部（オス）        ５３  口止部（メス）      ５４  台形カバー
５５  寝床内空気
【図１】
2015226743.tif 000005
【図２】
2015226743.tif 000006
【図３】
2015226743.tif 000007
【図４】
2015226743.tif 000008
【図５】
2015226743.tif 000009
【図６】
2015226743.tif 000010
【図７】
2015226743.tif 000011
【図８】
2015226743.tif 000012
【図９】
2015226743.tif 000013
【図１０】
2015226743.tif 000014
【図１１】
2015226743.tif 000015
【図１２】
2015226743.tif 000016
【図１３】
2015226743.tif 000017
【図１４】
2015226743.tif 000018
【図１５】
2015226743.tif 000019
【図１６】
2015226743.tif 000020
【図１７】
2015226743.tif 000021
【図１８】
2015226743.tif 000022
【図１９】
2015226743.tif 000023
【図２０】
2015226743.tif 000024
【図２１】
2015226743.tif 000025
【図２２】
2015226743.tif 000026
【図２３】
2015226743.tif 000027
【図２４】
2015226743.tif 000028
【図２５】
2015226743.tif 000029
【図２６】
2015226743.tif 000030
【手続補正書】
【提出日】平成27年1月17日(2015.1.17)
【手続補正１】
【補正対象書類名】特許請求の範囲
【補正対象項目名】全文
【補正方法】変更
【補正の内容】
【特許請求の範囲】
【請求項１】
寝床内の人体の側面と背面、腹面より温風を送風し、循環する寝具で、次の様な温風の流れをする構造を特徴とする（イ）〜（ホ）の寝具。
（イ）ドーム送風掛ふとん（１１）は表生地（５）の中央位置に温風機の枠（１３）をけがき、その枠の上に２か所ドームカバー袋（７）を縫合して表生地（５）と裏生地（６）の外周を縫合する際、吸引送風口本体（１６）を入れる横長の口止部（１０）を足部横にあけて外周を縫合し、その中に温風の循環する温風域の枠（１３）を縫合して設け、その中に足部サイド送風口（１４）を２ヶ所あけたコの字形の足部エアー留り枠（１２）を温風域の枠（１３）内に縫合し、横長形の吸引送風口室（１）を足部に作り、その中央部にドーム送風ふとん吸引口（８）とドーム送風ふとん送風口（９）の穴を２ケあけて、ドーム送風掛ふとん（１１）を設ける。
（ロ）上下に重ねた２ケの角筒の下部角筒の両端を防ぎ、一面の中央に本体送風口（２０）を設け、うら面の両側に本体サイド送風口（１７）を２ヶ所あけ、次に上部角筒の両側を防ぎ、本体送風口（２０）の同一面に本体吸引口（２１）を設け、そのうら面に足部吸引口（１８）足部吸引口（小）（１９）を設けた上下二段に重ねた角筒の吸引送風口本体（１６）を設ける。
（ハ）吸引送風口本体（１６）を（イ）の口止部（１０）より入れて、ドーム送風ふとん吸引口（８）に、吸引送風口本体（１６）の本体吸引口（２１）を合せ、ドーム送風ふとん送風口（９）には、吸引送風口本体（１６）の本体送風口（２０）を合せてセットし、表生地（５）のドームバー袋（７）にドームバー（４２）を入れて、吸引送風口本体入ドーム送風掛ふとん（１１’）を完成して設ける。
（ニ）送風ネット本体（２４）の上に、送風ネット本体（２４）の長さより短く、巾が送風ネット本体（２４）より狭い分離布（２３）を送風ネット本体（２４）の足元の端の中心位置にセットし、その上にさらに送風ネット本体（２４）と同寸の送風ネット表（２２）を乗せて外周を縫合し、その際、送風ネット本体（２４）の足側で分離布（２３）と送風ネット本体（２４）の間の中央に、送風ネット口（２５）を取付けて敷送風ネット本体（２４‘）を完成し設ける。
（ホ）循環暖房機（３０）の循環暖房機吸引口（３２）と吸引送風口本体入り、ドーム送風掛ふとん（１１’）の本体吸引口（２１）とセットし、循環暖房機掛送風口（３３）と吸引送風口本体入り、ドーム送風掛ふとん（１１’）の本体送風口（２０）とセット、循環暖房機敷送風口（３４）と敷送風ネット本体（２４’）の送風ネット口（２５）と接続して温風を送風する。
【請求項２】
寝床内の人体の側面と背面、腹面より温風を送風し、循環する寝具で次の様な温風の流れをする（イ）〜（ホ）の構造を特徴とする請求項１に記載の寝具。
（イ）角筒の両端を防ぎ、一面の中央にドームバー付本体送風口（２０’）を設け、うら面の両側にドームバー付本体サイド送風口（１７’）を２ヶ所あけ、その上にドームバー（４２）を設け、ドームバー付送風口本体（４３）を設ける。
（ロ）ドームバー付送風口本体（４３）を口止部（１０）より入れてドーム送風ふとん送風口（９）にはドームバー付送風口本体（４３）のドームバー付本体送風口（２０’）を合せてセットし、ドームバー入ドーム送風掛ふとん（１１”）を設ける。
（ハ）吸引ネット本体（３８）と吸引ネット表（３７）の外周を縫合する際、足元の側えん中央に吸引ネット口（３９）を設けて縫合し、敷吸引ネット本体（３８’）を設ける。
（ニ）敷送風ネット本体（２４’）の上に敷吸引ネット本体（３８’）を重ねる。
（ホ）循環暖房機（３０）の循環暖房機吸引口（３２）と吸引ネット本体（３８）の吸引ネット口（３８）をセットし、循環暖房機送風口（３３）とドームバー付送風口（４３）のドームバー付本体送風口（２０’）とセット、循環暖房機送風口（３４）と敷送風ネット本体（２４’）の送風ネット口（２５）を接続し温風を流す。
【手続補正２】
【補正対象書類名】明細書
【補正対象項目名】０００９
【補正方法】変更
【補正の内容】
【０００９】課題２の実施例は図１５で示す様に図１の吸引送風口室（１）にドームバー付送風口本体（４３）をセットし、送風ネット本体（２４）の上に図１４の吸引ネット本体（３８）を敷き、循環暖房機掛送風口（３３）をドームバー付送風口本体（４３）のドームバー付本体送風口（２０’）とセットする。
循環暖房機吸引口（３２）を吸引ネット口（３９）に接続し循環暖房機敷送風口（３４）を送風ネット口（２５）にセットする。循環暖房機（３０）にスイッチＯＮすると、寝床内空気（５５）は体全面を包む様に吸引ネット本体（３８）に吸引され、吸引ネット口（３９）より循環暖房機吸引口（３２）より吸引され、消臭殺菌フイター（４６）を通りシロッコファン（４７）をへて調節ヒーター（４８）で指示温度に調節されて、循環暖房機送風口（３３）よりドームバー付本体送風口（２０’）の図８のドームバー付本体サイド送風口（１７’）より図１のサイド温風通路（２）に温風は流れる。
サイド温風の流れ（１５）は一部は足部サイド送風口（１４）より裏生地（６）を通り寝床内空気（５５）に流れ主流は足部エアー溜り（４）に流れる。残りの温風は胸部エアー溜り（３）足部エアー溜り（４）より裏生地（６）を通過し寝床内空気（５５）に戻る。
又循環暖房機敷送風口（３４）より送風ネット口（２５）に流れた温風は送風ネットサイド通路（２６）を通り吸引ネット本体（３８）に流れる温風や、背面温風溜り（２８）に進み寝床内空気（５５）に戻る温風や、直接吸引ネット本体（３８）の流れに吸引される温風もある。
寝床内空気（５５）は体を包む様に流れその温風は体温を快眠状態にコントロールし主流は人体の背面に流れ、長期病床の患者に床ずれ防止の効果が有り、体圧分散を含め快眠を提供出来るのです。課題２は上記の様に解決される。
【手続補正３】
【補正対象書類名】明細書
【補正対象項目名】００１１
【補正方法】変更
【補正の内容】
【００１１】
【産業上の利用可能性】
産業上の利用可能性は４分野が考へられます。
病院の分野が第一に考へられます。図１９は奈良県の大病院に入院、１５日間体験した時の寝床内データーです。手術後２日目のデータです。背中は９９％、床内３５℃不眠食事用テーブルで毛布を浮かして体に毛布がふれない様にして入院生活をしました。
この体験が本発明の原点です。
図２０は豊中市の国立病院に入院１０日間で退院しましたが背の面８９％で不眠。
今までに７〜８病院でデーターを得ましたが病院寝具は最低。病院の術後の睡眠寝具はクリーニング屋まかせで患者の睡眠による体力回復に全く感心が無いのが現状です。
この分野こそ最も本発明品が必要な分野で利用可能な業界です。
図２１は一般家庭の使用している寝具のデーターです。今後在宅医療が求められている時代です。一般家庭で健康な時から本発明品を使用して病気の予防するのが第一です。
一般家庭に普及すれば油やガスの輸入を削減し国家財政に役立つこと間違いないと信じます。この為図１２の商品を開発しました。一般家庭の普及こそ国家政策の急務です。
図１５の商品は長期病床生活の患者の為に開発しました。コスト高がネックです。
図２２は大阪市の高級ホテルの寝床内データーで、入室直後より入床して寝床内データーをとりました。２２時以後は研究中の商品のテストに使用。調査したホテル全て寝具不良図２３は京都市の最高級ホテルのデーターです。前半はホテルの寝具の寝床内データーで３時間で８９％に背面が上昇寝床内は掛７６％で不眠羽毛ふとん１ｋｇを使用し、
2015226743.tif 000031
を送風した寝床内データーです。室２９℃で快眠です。
観光立国の為には快眠の提供こそ最高の「おもてなし」ではないでしょうか。
図１２は健康な一般家庭に  又ビジネスホテルに最適商品です。
図１５は病院、介ご施設  在宅介ご  高令者  に最適商品です。
図１７は  図１５の応用で好みによって変化出来ます。風量か少なくソフトな商品です
図２４は室温２５℃湿４５％の環境で図１５の病院、介ごに使用最適の商品を使用したデーターで寝床内の温度、湿度は入床より起床まで最良の環境で快眠出来たデーター
図２５は７月・室温２９℃〜３０℃  湿度５９°〜５２％の環境で図１５の商品を使用  循環暖房機吸引口（３２）をはずして室内空気を吸引したデータで快眠、（ドーム送風掛ふとん（１１）使用
図２６は室温１９℃→１３℃の環境で図１２の商品に１．２ｋｇの羽毛ふとんを使用し快眠データー
【符号の説明】
１  吸引送風口室            ２  サイド温風通路          ３  胸部エアー溜り
４  足部エアー溜り          ５  表生地                  ６  裏生地
７  ドームバー袋        ８  ドーム送風ふとん吸引口  ９  ドーム送風ふとん送風口
１０  口止部                １１  ドーム送風掛ふとん    １２  足部エアー溜り枠
１３  温風域の枠            １４  足部サイド送風口      １５  サイド温風の流れ
１６  吸引送風口本体        １７  本体サイド送風口      １８  足部吸引口
１９  足部吸引口（小）      ２０  本体送風口            ２１  本体吸引口
２２  送風ネット表          ２３  分離布                ２４  送風ネット本体
２５  送風ネット口          ２６  送風ネットサイド通路  ２７  送風ネット裏面通路
２８  背面温風溜り          ２９  敷送風ネットの温風    ３０  循環暖房機
３１  ベット循環暖房機      ３２  循環暖房機  吸引口  ３３  循環暖房機  掛送風口
３４  循環暖房機  敷送風口  ３５  フィルターカバー      ３６  コントローラー
３７  吸引ネット表          ３８  吸引ネット本体        ３９  吸引ネット口
４０  敷吸引ネットの温風    ４１  掛ふとん              ４２  ドームバー
４３  ドームバー付送風口本体  ４４  シーツ              ４５  ドームバー止布
４６  消臭殺菌フィルター      ４７  シロッコファン      ４８  調節ヒーター
４９  トメ縫い                ５０  敷ふとん            ５１  マクラ
５２  口止部（オス）          ５３  口止部（メス）      ５４  台形カバー
５５  寝床内空気
2015226743.tif 000032
１７’ドームバー付本体サイド送風口        ２０’ドームバー付本体送風口
２４’敷送風ネット本体                    ３８’敷吸引ネット本体
【手続補正４】
【補正対象書類名】図面
【補正対象項目名】図８
【補正方法】変更
【補正の内容】
【図８】
2015226743.tif 000033